(57)【特許請求の範囲】
【請求項１】
架台と、
該架台に対して水平方向に微動可能な支持ベースと、
該支持ベースから上方に向けて延びるように設けられた支持部と、
該支持部の先端部に取り付けられ、下方に向けてスリット光を照射する細隙灯が収納されているスリット光ユニットと、
前記支持部の上下方向中途部に取り付けられ、前記スリット光ユニットから照射されたスリット光を反射させて被検者眼に照射する反射鏡又はプリズムを有するミラーユニットと、
被験者の被検眼を観察する顕微鏡とを具備し、
前記細隙灯へ電源を供給する細隙灯電源ケーブルが、前記支持ベースから支持部の内部のケーブル用空洞部内に配置され、外部に露出せずに前記スリット光ユニット内の細隙灯に接続されていることを特徴とする細隙灯顕微鏡。
【請求項２】
スリット光の背景を照射するためのバックライトを被検者眼に照射させるバックライト用光源が、前記ミラーユニットに設けられており、
前記バックライト用光源に電源を供給するバックライト電源ケーブルが、前記支持ベースから支持部の内部のケーブル用空洞部内に配置され、外部に露出せずに前記ミラーユニット内のバックライト用光源に接続されていることを特徴とする請求項１記載の細隙灯顕微鏡。
【請求項３】
前記支持ベースは、その下面が前記架台の上面との間で隙間を生じるように配置されており、
前記支持ベース内部には、商用電源又はＡＣアダプターからの電源を細隙灯及びバックライト用光源の駆動電源に変換する変換回路が内蔵されており、
前記支持ベース下面には、商用電源又はＡＣアダプターからの電源ケーブルが前記変換回路へ接続されるように導入される開口部が設けられていることを特徴とする請求項２記載の細隙灯顕微鏡。
【発明の詳細な説明】
【技術分野】
【０００１】
本発明は、被検者眼を細隙灯により観察するための細隙灯顕微鏡に関する。
【背景技術】
【０００２】
細隙灯顕微鏡は、眼科において被検者眼（前眼部等）を観察するために用いられる装置である。細隙灯顕微鏡は、スリットランプマイクロスコープとも称される。
【０００３】
従来の細隙灯顕微鏡について説明する。
細隙灯顕微鏡は、スリット光（細隙光）を被検者眼に斜め方向から照射して透明又は半透明の組織を可視化して観察できるように設けられており、スリット光を照射するためのスリット光光学系と、顕微鏡ユニットとを具備している。
【０００４】
一般的にスリット光の光源は、ミラーの上方に設けられている。そして、光源から下方に向けて照射されたスリット光は、ミラーによって反射されて被験者眼に照射される。
このため、光源に電力を供給するためのケーブルは、スリット光光学系の上端部に接続されることが一般的であった（例えば、特許文献１の図１参照）。
【０００５】
また、スリット光だけを被検者眼に照射すると、眼球のいずれの箇所にスリット光が照射されているかが分からなくなる場合もある。また、この状態でカメラ撮影をするとスリットに焦点が合ってしまうという問題もある。このため、細隙灯顕微鏡においては、スリット光の背景を照射するためのバックライトを設けることが行われてきた。
【０００６】
特許文献２には、バックライトの光源としてＬＥＤを用い、このＬＥＤが配置された補助照明ユニットをフレキシブルアームの先端に取り付けることが開示されている。
この構成では、フレキシブルアームを被検者の顔を支持する顔支持部に取り付けており、被検者眼の上方からバックライトを照射するようにしている。
【先行技術文献】
【特許文献】
【０００７】
【特許文献１】特開２０１４−３３８１２号公報
【特許文献２】特開２０１１−１７７２７３号公報
【発明の概要】
【発明が解決しようとする課題】
【０００８】
上述した特許文献１のように、従来の細隙灯顕微鏡では、スリット光の光源用ケーブルが、装置の下方からスリット光光学系の上端部に接続されており、被験者及び観察者（眼科医等）の双方にとって目障りである。また、特許文献２のようにバックライト用の補助照明ユニットを設けた場合も、その電源用のケーブルが被験者及び観察者（眼科医等）の双方にとって目障りである。
これら細隙灯顕微鏡のような眼科の診断を行うような装置の場合、目障りなものがあると、その正確な観察に支障をきたすおそれがあるという課題がある。
【０００９】
そこで本発明は上記課題を解決すべくなされ、その目的とするところは、ケーブルが装置外部で配線されておらず、目障りなものがないことにより正確な観察が行える細隙灯顕微鏡を提供することにある。
【課題を解決するための手段】
【００１０】
本発明にかかる細隙灯顕微鏡によれば、架台と、該架台に対して水平方向に微動可能な支持ベースと、該支持ベースから上方に向けて延びるように設けられた支持部と、該支持部の先端部に取り付けられ、下方に向けてスリット光を照射する細隙灯が収納されているスリット光ユニットと、前記支持部の上下方向中途部に取り付けられ、前記スリット光ユニットから照射されたスリット光を反射させて被検者眼に照射する反射鏡又はプリズムを有するミラーユニットと、被験者の被検眼を観察する顕微鏡とを具備し、前記細隙灯へ電源を供給する細隙灯電源ケーブルが、前記支持ベースから支持部の内部のケーブル用空洞部内に配置され、前記スリット光ユニット内部で細隙灯に接続されていることを特徴とする細隙灯顕微鏡。
この構成を採用することによって、細隙灯用の電源ケーブルが装置外部で配線されることがないので、目障りなものがないことにより正確な観察が行える。
【００１１】
また、スリット光の背景を照射するためのバックライトを被検者眼に照射させるバックライト用光源が、前記ミラーユニットに設けられており、前記バックライト用光源に電源を供給するバックライト電源ケーブルが、前記支持ベースから支持部の内部のケーブル用空洞部内に配置され、外部に露出せずに前記ミラーユニット内のバックライト用光源に接続されていることを特徴としてもよい。
この構成によれば、バックライト用の電源ケーブルも装置外部で配線されることがないので、目障りなものがないことにより正確な観察が行える。
【００１２】
また、前記支持ベースは、その下面が前記架台の上面との間で隙間を生じるように配置されており、前記支持ベース内部には、商用電源又はＡＣアダプターからの電源を細隙灯及びバックライト用光源の駆動電源に変換する変換回路が内蔵されており、前記支持ベース下面には、商用電源又はＡＣアダプターからの電源ケーブルが前記変換回路へ接続されるように導入される開口部が設けられていることを特徴としてもよい。
この構成を採用することによって、商用電源からのケーブルも支持ベースの上に出ないようにすることができ、目障りなく正確な観察が行える。
【発明の効果】
【００１３】
本発明によれば、ケーブルが内蔵されることにより、目障りなものがなく正確な観察が行える。
【図面の簡単な説明】
【００１４】
【図１】本実施形態の細隙灯顕微鏡の全体構成を示す斜視図である。
【図２】ミラーユニットの側面図である。
【図３】細隙灯顕微鏡を側面から見た断面図である。
【図４】細隙灯顕微鏡を正面から見た断面図である。
【図５】細隙灯顕微鏡の底面図である。
【発明を実施するための形態】
【００１５】
本実施形態にかかる細隙灯顕微鏡３０の全体構成を図１に示す。
細隙灯顕微鏡３０は、スリット光を照射する細隙灯３２（図３、図４参照）が内蔵されたスリット光ユニット３１と、細隙灯３２から照射されたスリット光を被検者眼方向に反射させるミラーユニット３４とを具備している。
【００１６】
本実施形態では、スリット光ユニット３１は下方に向けてスリット光を照射するように設けられており、ミラーユニット３４はスリット光ユニット３１の下方に設けられている。
ただし、スリット光ユニット３１をミラーユニット３４の下方に設け、上方に向けて照射されたスリット光をミラーユニット３４で被験者眼方向に反射させてもよい。
【００１７】
スリット光ユニット３１とミラーユニット３４は、支持部５０を構成する２本の連結アーム３９によって連結されている。ミラーユニット３４は、２本の連結アーム３９の間に配置されており、スリット光ユニット３１は、２本の連結アーム３９の上端部に跨って配置されている。スリット光ユニット３１のスリット光照射口３３は、２本の連結アーム３９の間に配置されている。
【００１８】
図２にスリット光とバックライトの被験者眼への照射概要について示す。
本実施形態では、スリット光の背景を照射するバックライト用光源４６は、ミラーユニット３４と一体に設けられている。バックライト用光源４６は、スリット光と同様に被検者眼の方向にバックライトを照射している。
ミラーユニット３４は、反射面が被検者眼方向に向く反射鏡４８を有している。反射鏡４８は、細隙灯３２が下方に向けて照射するスリット光を被検者眼に照射させるように、鉛直下向きに延びるスリット光に対して４５°の角度を有している。
【００１９】
本実施形態では、反射鏡４８の下方側にバックライト用光源４６を設けている。そして、バックライト用光源４６から照射されるバックライトは、水平面に対して２８°下方から被検者眼に照射されている。
このような角度で下方から被検者眼にバックライトを照射することによって、被検者がバックライトをまぶしく感じないようにすることができる。
【００２０】
また、細隙灯顕微鏡３０には、被検者が顎を乗せる顎受け部３６が設けられている。顎受け部３６は、上下方向に延びる２本の支持アーム３７の間に設けられている。支持アーム３７は、その下端部が架台４２に取り付けられている。
顎受け部３６に顎を乗せた被検者の被検眼を観察するための顕微鏡３８は、顎受け部３６と対向する位置に設けられている。なお、顕微鏡３８にはカメラ等の撮像装置を設けてもよい。
【００２１】
本実施形態の細隙灯顕微鏡では、細隙灯用の細隙灯電源ケーブル６６及びバックライト用光源４６のバックライト電源ケーブル６８が、支持部５０内に内蔵されており外部に露出していないことが特徴となっている。
この点について、図３〜図５に基づいて以下に説明する。
【００２２】
支持ベース４０は、架台４２に対して水平面内で微動可能となるように設けられている。具体的には、架台４２の左右方向に沿って配置され、前後方向（被験者に接近、離間する方向）に移動する移動シャフト５５に、支持ベース４０が取り付けられている。また、支持ベース４０は、移動シャフト５５の軸線方向に移動可能に取り付けられている。このため支持ベース４０は、架台４２に対して水平面内で微動することができる。また、支持ベース４０の微動は、ジョイスティック４４を操作することによって実行することができる。
このように、支持ベース４０を架台４２に対して微動させるため、支持ベース４０の下面は架台４２の上面に対して所定の隙間をあけて配置されている。
【００２３】
支持ベース４０には、支持部５０によって支持されたスリット光ユニット３１とミラーユニット３４とが取り付けられている。また顕微鏡３８も支持ベース４０に取り付けられている。このため、支持ベース４０の微動とともにスリット光ユニット３１、ミラーユニット３４、顕微鏡３８も同時に微動する。
【００２４】
一方、架台４２に対して、顎受け部３６を有する支持アーム３７は固定されている。したがって、支持ベース４０を微動させることにより、被検眼に対するスリット光の照射位置を調整することができる。
【００２５】
架台４２の底面には、細隙灯顕微鏡の外部からの電源ケーブル６０が収納される溝部６２が形成されている。この溝部６２に収納された電源ケーブル６０は、支持ベース４０の下面に形成された開口部５９に導入される。
なお、ここで示す電源ケーブル６０は、ＡＣ１００Ｖの商用電源からの電源ケーブルであるとする。
【００２６】
支持ベース４０内には、商用電源ＡＣ１００Ｖを各光源の駆動電源に変換するための変換回路６４が設けられている。変換回路６４によって、ＡＣ１００Ｖが細隙灯３２とバックライト用光源のそれぞれの駆動電源に変換される。
変換回路６４から、細隙灯３２への電源供給用の細隙灯電源ケーブル６６、及びバックライト用光源４６への電源供給用のバックライト電源ケーブル６８が取り出される。
【００２７】
ただし、細隙灯顕微鏡へ供給される電源ケーブル６０としては、図示しないＡＣアダプターへ接続されるＤＣ電源供給用であってもよい。この場合、変換回路６４は、ＬＥＤの調光回路である。
【００２８】
なお、支持部５０は、下端部が支持ベース４０に取り付けられている連結部５１と、連結部５１に対して回動可能に取り付けられている２本の連結アーム３９とを有している。
連結部５１の下端部は、支持ベース４０の上面において水平面内で回動可能となるように、鉛直方向に沿って延びる回動軸５２によって支持ベース４０の上面に取り付けられている。
【００２９】
連結部５１の上端にミラーユニット３４が設けられている。２本の連結アーム３９は、ミラーユニット３４の下方において、連結部５１の側面に対して回動可能に取り付けられている。
連結アーム３９と連結部５１は水平方向を向く回動軸５８によって、連結アーム３９の被験者に対する傾斜角度を変更することができる。
【００３０】
細隙灯電源ケーブル６６、バックライト電源ケーブル６８は、支持部５０内部のケーブル用空洞部７０内を通過して、それぞれ細隙灯及びバックライト用光源４６に接続されている。
支持部５０の下端部の連結部５１においては、回動軸５８の中心部分が空洞となっており、この空洞内部を細隙灯電源ケーブル６６とバックライト電源ケーブル６８が配置されている。各電源ケーブル６６，６８を回動軸５８の内部を通過させることで、連結部５１が回動軸５８を中心に回動した場合であっても回動による各電源ケーブル６６，６８への悪影響をなくすことができる。
【００３１】
また、連結部５１の上端部にはミラーユニット３４が設けられており、ケーブル用空洞部７０は、ミラーユニット３４の内部空間に連通している。このため、バックライト電源ケーブル６８は、連結部５１のケーブル用空洞部７０から外部に配線されることなくミラーユニット３４内部に進入し、バックライト用光源４６に接続される。バックライト用光源４６としては、ＬＥＤを採用することが好ましい。
【００３２】
細隙灯電源ケーブル６６は、連結部５１から２本の連結アーム３９のうちのいずれか一方に進入する。連結部５１から連結アーム３９への進入経路としては、回動軸５８の上方に形成された空洞部分を通すことにより行われている。
【００３３】
連結アーム３９のうちのいずれか一方の内部には、ケーブル用空洞部７０が形成されており、このケーブル用空洞部７０内に連結部５１から延びた細隙灯電源ケーブル６６が収納される。
このケーブル用空洞部７０は、スリット光ユニット３１の内部空間に連通している。このため、細隙灯電源ケーブル６６は、連結アーム３９の上端部からスリット光ユニット３１の下端部に外部に配線されることなく進入し、スリット光ユニット３１内の細隙灯に接続される。
【００３４】
なお、上述してきた実施形態では、ミラーユニット３４には反射鏡を設ける構成について説明した。
しかし、スリット光を被験者眼に照射するためには反射鏡ではなくプリズムであってもよい。
【００３５】
なお、上述した実施形態では、反射鏡の下方にバックライト用光源を配置したミラーユニットについて説明したが、反射鏡又はプリズムと、バックライト用光源の位置関係は上述した構成に限定するものではない。
【００３６】
例えば、反射鏡を半透明ミラーとし、ミラーユニット内部においてバックライト用光源を設けてもよい。この構成によれば、ミラーユニット内部で照射されたバックライトが半透明の反射鏡を通過して被検者眼に照射され、上方から照射されたスリット光は反射鏡で反射して被検者眼に照射される。
【００３７】
また、バックライト用光源のバックライト光源としてはＬＥＤが好ましいが、他の光源を採用してもよい。
【符号の説明】
【００３８】
３０   細隙灯顕微鏡
３１   スリット光ユニット
３２   細隙灯
３３   スリット光照射口
３４   ミラーユニット
３６   顎受け部
３７   支持アーム
３８   顕微鏡
３９   連結アーム
４０   支持ベース
４２   架台
４４   ジョイスティック
４６   バックライト用光源
４８   反射鏡
５０   支持部
５１   連結部
５２   回動軸
５５   移動シャフト
５８   回動軸
５９   開口部
６０   電源ケーブル
６２   溝部
６４   変換回路
６６   細隙灯電源ケーブル
６８   バックライト電源ケーブル
７０   ケーブル用空洞部
【図１】
0006053739.tif 000002
【図２】
0006053739.tif 000003
【図３】
0006053739.tif 000004
【図４】
0006053739.tif 000005
【図５】
0006053739.tif 000006